(57)【要約】【課題】後遺症や副作用、切開手術等、人体に負担をかけずガン等の不要細胞を死滅させる。【解決手段】誘導加熱等により発熱を促す周波数による放出角を患部に集中するよう角度並び方向を規制し、様々な位置による別軌道で幹部に向け放出する事により誘導加熱作用を患部に集中させる事ができ、他の部分よりも効率よく早く温度を上昇させ細胞を先に死滅させられる事を特徴とする。【選択図】  図２
2004275675.tif 000002
【特許請求の範囲】
【請求項１】
誘導加熱作用のある高周波を発生させ放出拡散角度を任意角度に絞り込む拡散防止機構を有する高周波発生装置と、任意の作用中心点を支点とし、放射方向と異なる軌道で支点に照射するよう高周波発生装置を移動させる移動装置とよりなる高周波集中治療システム。
【請求項２】
複数の高周波発生移動装置を具備することを特徴とする請求項１記載の高周波集中治療システム。
【請求項３】
支点位置を調整する支点調整機構を有するものであることを特徴とする高周波集中治療システム。
【発明の詳細な説明】
【０００１】
【発明の属する技術分野】
誘導加熱作用のある高周波を利用した医療における治療システムに関する。
【０００２】
【従来の技術】
（イ）  回転照射法による放射線治療方法が有り放射線発生装置の照射方向を制限し患部に向け照射しながら放射線発生装置を３６０度回転させることで移動しながら異なる軌道で患部を照射するものがあった。
（ロ）  コバルト６０使用によるγ（ガンマ）ナイフによる頭部治療用の三次元照射は放射線を細かく分散し三次元による多方向による各々の別軌道により患部に向け集中照射することで患部に必要な放射線量を照射するものがあった。
（ハ）  高周波は工業用、家庭用などで広く使用されていて対象物を特定の空間内に置き高周波を拡散放出することにより均等に加熱するものがあった。
【０００３】
【発明が解決しようとする課題】
（イ）  放射線治療は放射線により被曝させるので他の正常な細胞組織に悪影響が残り設備、管理、維持等に費用が掛かるのに加え回転照射による治療は被曝範囲を広げる課題があった。
（ロ）  γナイフによる頭部三次元照射治療は２００個程度のコバルト６０が必要で半減期による交換が５年毎にあり設備、管理、維持等に費用が掛かり（イ）同様広範囲による正常な細胞組織に悪影響が残る課題があった。
（ハ）  高周波による加熱は全体的に加熱か一部の種類だけの加熱で位置を指定して加熱作用を促すことが出来ない課題があった。
【０００４】
【課題を解決するための手段】
高周波発生装置に拡散防止と照射方向及び照射角調整部を具備した高周波照射装置の照射方向が円軌道の中心点に向きながら高周波照射装置が円軌道上を移動する高周波集中装置により構成されている。
【０００５】
高周波発生装置に拡散防止と照射方向及び照射角調整部を具備した高周波照射装置を複数使用し各々の照射方向が円軌道の中心点に向きながら各高周波照射装置が円軌道上を移動する高周波集中装置により構成されている。
【０００６】
高周波集中装置と、高周波集中装置の円軌道の中心点となる集中点を前後、左右、上下へと各自稼動させる集中点移動装置により構成されている。
【０００７】
【発明の実施の形態】
（イ）  高周波を照射することにより分極現象による＋（プラス）−（マイナス）の電荷を運動させることにより発熱させるマイクロ波加熱、誘導加熱、誘電加熱、電磁波加熱、高周波加熱等により水、アルコール、高分子物質等を加熱作用により発熱させるマイクロ波帯の電磁波等による高周波を応用した本発明である。
（ロ）  人体内の各々の細胞は多量の水分を含んでいて一定の温度以上になると死亡する。
（ハ）  マグネトロン（１）とは工業用、家庭用電子レンジ等で広く使われているものでマイクロ波帯は通信等でも広く使用されているため統一しないと電波障害を招くので国際的に２４５０ＭＨｚ（メガヘルツ）に設定され、高周波を発生させる高周波発振機又は発生機で水分に加熱作用が特にある。
【０００８】
（イ）  図１の正面を基準に水平方向に溝（２３ｘｂ）と図２の溝（２３ｘａ）は同じ役目でラックギヤ付きレールが等間隔で配置されている。
（ロ）  各レール上に二つずつの四つの車輪（２５）を持つ土台となるＸ軸受（２４ｘ）が設置されている。
（ハ）  図２の土台となるＸ軸受（２４ｘ）の上に固定されたＸモータ（４ｘ）のＸ歯車（２０ｘ）により水平に並列されたラックギヤ付き溝（２３ｘａ）と同じレールのギヤに連結されていてレールの上を図１のＸ方向の左右へと土台となるＸ軸受（２４ｘ）を稼動させる。
（ニ）  土台変わりのＸ軸受（２４ｘ）上にＹ軸受（２４ｙ）が設置されていてＹモータ固定部（１９ｙ）により固定されたＹモータ（４ｙ）の歯車によりＹ溝（２３ｙ）が刻まれ一定方向に移動しラックギヤが刻まれたＹ軸（２２ｙ）をＹ軸方向の上下へと稼動させる。
（ホ）  Ｙ軸（２２ｙ）の上にＺ軸受（２４ｚ）が設置されていて図１のＺモータ固定部（１９ｚ）により固定されたＺモータ（４ｚ）の歯車によりＺ溝（２３ｚ）が刻まれ一定方向に移動しラックギヤが刻まれたＺ軸（２２ｚ）を図２の側面から見てＺ方向へ図１の正面から見て前後へと稼動させる。
（ヘ）  図２のＺ軸（２２ｚ）の前方にＢモータ固定部（１９ｂ）により固定されたＢモータ（４ｂ）のＢ歯車（２０ｂ）によりＺ軸（２２ｚ）の先端にはめ込まれた図１のＢ軸受（２４ｂ）と一緒に回転する軸側ギヤ（２１ｂ）を回転させることによりＢ軸受（２４ｂ）と一体化された図２の「コ」の字型のアーム（２６）を図１の正面から見て反時計回り方向（１６）に円稼動させる。
（ト）  図２の「コ」の字型のアーム（２６）の両端には一方に照射部（１０）、他方に吸収体（６）を内蔵した遮断壁兼カバー（７ｃ）が設置されていてＺ軸（２２ｚ）の中心線上にある集中点（１４）を基準に回転運動する。
【０００９】
（イ）  図３は図１、図２に設置された照射部（１０）で収納体（９）にはマグネトロン（１）、高圧トランス（２）、冷却装置としてＡモータ（４ａ）により冷却ファン（３）を回転させマグネトロン（１）の発する熱を冷却させる機能が組込まれていて家庭用電子レンジの装置をそのまま流用したもので両側に通風と安全のため通風兼カバー（７ｂ）が設置されている。
（ロ）  収納体（９）からはマグネトロン（１）の出力アンテナ（５）が露出されていて高周波を放出出来るようになっている。
（ハ）  出力アンテナ（５）からの放出による拡散防止のため電磁波吸収体（６ａ）を中にして外側を遮断壁兼カバー（７ａ）により覆い、本発明の効果を得るためにマグネトロン（１）からの放出方向の中心放出方向（１１ａ）線を基準として必要な放出角度分の空洞を出力アンテナ（５）に向け設け放射孔（８）を作り収納体（９）に設置したもので収納体（９）を含む全体を照射部（１０）としたものである。
【００１０】
（イ）  図７と図８は図１と図２の集中点移動装置に図６の照射部（１０）三台を有する高周波集中装置が設置されている。
（ロ）  図６はドーナッツ状の遮断壁兼カバー（７ｂ）の内側に吸収体（６ｂ）が装着されていて照射部（１０）の中心放出方向（１１ａ）がドーナッツ状の中心点の集中点（１４）に向けられ遮断壁兼カバー（７ｂ）上に１２０度間隔で３台設置されている。
（ハ）  ドーナッツ状の遮断壁兼カバー（７ｂ）の中心点の中心線上に共有する回転軸を持つアーム（２６）とＢ軸受（２４ｂ）が具備されていて集中点移動装置に設置可能である。
【００１１】
請求項１の実施例として
（イ）  人体（１７）内に直径３ｃｍのＡ円（１２ａ）状の患部（１８）がある場合、請求項１により図１及び図２の集中点移動装置の照射部（１０）の照射が照射部（１０）円軌道の中心点を同じくしたＡ円（１２ａ）に向け高周波照射の両端がＡ円（１２ａ）の外周に接する角度θになるよう放射孔（８）の大きさを調整する。
（ロ）  図４にて説明すると照射部（１０）の反時計回り方向（１６）への円運動による中心となる点が高周波の中心放出方向（１１ａ）が常時交差することにより集中点（１４）となる。
（ハ）  人体（１７）内患部（１８）のＡ円（１２ａ）の中心に集中点（１４）を合わせる事によりＡ円（１２ａ）の外周の端を照射部（１０）による照射角の両端の反時計回り方向（１６）の進行方向側が右放出方向（１１ｂ）になり逆側が左放出方向（１１ｃ）となり常時接していてＡ円（１２ａ）内を加熱作用により温度を上昇させる。
【００１２】
（イ）  図５は円運動による加熱作用の強弱を説明する図で照射部（１０）の放出基点（１５）が集中点（１４）を中心とする反時計回り方向（１６）の円軌道による移動を１２度刻みに離れた場所からの照射の説明図である。
（ロ）  放出基点（１５）からの照射角内の中心放出方向（１１ａ）を基準として照射角端の進行方向からプラス側を右放出方向（１１ｂ）としマイナス側を左放出方向（１１ｃ）とすると０度放出基点（１５ａ）の右放出方向（１１ｂ）と１２度放出基点（１５ｂ）の左放出方向（１１ｃ）が交差するＢ接点（１３ｂ）を外周とし集中点（１４）を中心にＢ円（１２ｂ）を想定すると照射部（１０）が一周する間、誘導加熱の作用が３０分の１（３６０÷１２＝３０）の割合でＢ円（１２ｂ）に作用する。
（ハ）  ０度放出基点（１５ａ）の右放出方向（１１ｂ）と２４度放出基点（１５ｃ）の左放出方向（１１ｃ）が交差するＣ接点（１３ｃ）を外周とし集中点（１４）を中心にＣ円（１２ｃ）を想定すると照射部（１０）が一周する間、誘導加熱の作用が１５分の１（３６０÷２４＝１５）の割合でＣ円（１２ｃ）に作用する。
（ニ）  放出基点（１５ａ）の右放出方向（１１ｂ）と３６度放出基点（１５ｄ）の左放出方向（１１ｃ）が交差するＤ接点（１３ｄ）を外周とし交点（１４）を中心にＤ円（１２ｄ）を想定すると照射部（１０）が一周する間、誘導加熱の作用が１０分の１（３６０÷３６＝１０）の割合でＤ円（１２ｄ）に作用する。
（ホ）  ０度放出基点（１５ａ）の右放出方向（１１ｂ）と４８度放出基点（１５ｅ）の左放出方向（１１ｃ）が交差するＥ接点（１３ｅ）を外周とし集中点（１４）を中心にＥ円（１２ｅ）を想定すると照射部（１０）が一周する間、誘導加熱の作用が７．５分の１（３６０÷４８＝７．５）の割合でＥ円（１２ｅ）に作用する。
（ヘ）  放出基点（１５ａ）の右放出方向（１１ｂ）と左放出方向（１１ｃ）に接する集中点（１４）を中心にしたＡ円（１２ａ）を想定すると照射部（１０）が一周する間、誘導加熱の作用が常時Ａ円（１２ａ）に作用する。
（ト）  （ロ）、（ハ）、（ニ）、（ホ）、（ヘ）により照射部（１０）が一周する間に誘導加熱作用が集中点（１４）より離れた場所によりＡ円（１２ａ）外周が１／１割の作用、Ｅ円（１２ｅ）の外周がＥ集中点間距離（２７ｅ）で１／７．５割の作用、Ｄ円（１２ｄ）の外周がＤ集中点間距離（２７ｄ）で１／１０割の作用、Ｃ円（１２ｃ）の外周がＣ集中点間距離（２７ｃ）で１／１５割の作用、Ｂ円（１２ｂ）の外周がＢ集中点間距離（２７ｂ）で１／３０割で作用する順で集中点（１４）から遠くなるに従いＥ集中点間距離（２７ｅ）１／７．５＞Ｄ集中点間距離（２７ｄ）１／１０＞Ｃ集中点間距離（２７ｃ）１／１５＞Ｂ集中点間距離（２７ｂ）１／３０のように円（１２）に及ぼす誘導加熱作用が減少する。
（チ）  以上によりＡ円（１２ａ）に想定した患部への照射部（１０）による照射で加熱作用を受け細胞組織の温度が上昇して死亡しても他の正常な細胞組織はまだ死亡温度に達せず害が残らず希望の部分だけを死滅させる事が出来る本発明である。
【００１３】
請求項２の実施例として
（イ）  図６の００１０の照射部（１０）三台設置装置のアーム（２６）を図１、図２の中心点移動装置のアーム（２６）と交換し人体（１７）内の患部（１８）の中心と集中点（１４）を合わせＢモータ（４ｂ）により回転駆動させることにより実施できる。
（ロ）  照射部（１０）は００１２と機能が同じで三台設置したことにより加熱作用が約三倍作用し集中点（１４）と他の部分における温度差が大きくなり部分的発熱効果を増す事ができる。
【００１４】
請求項３の実施例として
人体（１７）の患部（１８）が大きかったり広範囲に拡散しているとか照射部（１０）の照射範囲が小さい時、中心点移動装置の中心点と集中点（１４）は一緒なので前後、左右、上下と患部（１８）内で集中点（１４）を移動させることにより発熱死亡させる、患部毎に集中点（１４）を移動させることにより人体（１７）中の患部（１８）を発熱死滅させることが出来る。
【００１５】
【発明の効果】
本発明は放射線を利用しないため放射線治療による被曝を受けず、発熱作用により温度が上昇しても時間と共に平熱にもどり人体（１７）へは後遺症が残らない。
【００１６】
人体における腫瘍（ガン、ポリープ等）等不要な細胞に本発明による集中点（１４）を合わせる事により不要な細胞に高周波が集中し他の細胞の温度上昇より早く温度が上昇し自ら死滅させる効果がある。
【００１７】
特定の人体部分に本発明により高周波を照射することにより特定部分の温度を上昇させることが出来る事から体内の血管内に照射する事により血液の温度が上昇し血液内の菌を死滅させる事が出来る。
【００１８】
特定の人体部分に本発明により高周波を照射することにより特定部分の温度を上昇させることが出来る事から体内の骨に照射する事により骨髄内の正常な細胞の死滅温度以下の不要細胞を死滅させる事が出来る。
【００１９】
集中点（１４）までの距離にしか加熱作用しないよう高周波出力、電圧等を調整する事により集中点（１４）以降の加熱作用を無くし効率を上げることが出来る。
【００２０】
医療における患部の位置確認、人体及び装置の位置決めシステム等と併用する事により不要細胞の特定及び集中点（１４）の位置決めが容易になる。
【００２１】
【図面の簡単な説明】
【図１】照射装置設置の集中点移動装置正面図
【図２】照射装置設置の集中点移動装置側面図
【図３】照射部一部断面図
【図４】円軌道作用説明図
【図５】加熱作用説明図
【図６】複数照射装置取付けアーム一部断面図
【図７】複数照射装置設置の集中点移動装置正面図
【図８】複数照射装置設置の集中点移動装置側面図
【符号の説明】
１  マグネトロン
２  高圧トランス
３  冷却ファン
４；４ａ；４ｂ；４ｘ；４ｙ；４ｚ  モータ
５  出力アンテナ
６；６ａ；６ｂ  吸収体
７；７ａ；７ｂ；７ｃ  カバー
８  放射孔
９  収納体
１０；１０ａ；１０ｂ；１０ｃ  放出部
１１；１１ａ；１１ｂ；１１ｃ  放出方向
１２；１２ａ；１２ｂ；１２ｃ；１２ｄ；１２ｅ  円
１３；１３ｂ；１３ｃ；１３ｄ；１３ｅ  接点
１４  集中点
１５；１５ａ；１５ｂ；１５ｃ；１５ｄ；１５ｅ  放出基点
１６  反時計回り方向
１７  人体
１８  患部
１９；１９ｂ；１９ｚ  モータ固定部
２０；２０ｂ；２０ｘ  歯車
２１  軸側ギヤ
２２；２２ｂ；２２ｘ；２２ｙ；２２ｚ  軸
２３；２３ｘａ；２３ｘｂ；２３ｙ；２３ｚ  溝
２４；２４ｂ；２４ｘ；２４ｙ；２４ｚ  軸受
２５  車輪
２６  アーム
２７；２７ｂ；２７ｃ；２７ｄ；２７ｅ  交点間距離
【図１】
2004275675.tif 000003
【図２】
2004275675.tif 000004
【図３】
2004275675.tif 000005
【図４】
2004275675.tif 000006
【図５】
2004275675.tif 000007
【図６】
2004275675.tif 000008
【図７】
2004275675.tif 000009
【図８】
2004275675.tif 000010